(57)【要約】【課題】ウォーターサーバーのバッグインボックスの交換の際、バッグインボックスのみ単体で棚から取り出すことができ交換作業が容易になるとともに、棚を落下させるようなことがなくなり安全なウォーターサーバーのバッグインボックス収納装置を提供する。【解決手段】前面に開口部１２を有する冷却庫本体１１と、この冷却庫本体内を冷却する冷却装置１６を設ける。冷却庫本体内１１に収納される給水栓１４を有したバッグインボックス１５と、このバッグインボックス１５を載置する棚１３と、冷却庫本体１１の開口部１２を密閉する扉１７を設ける。扉１７に設けられバッグインボックス１５の給水栓１４を扉１７から露出させる給水栓用開口部１８と、給水栓１４を上下方向から挟み込むように分割して設けられ給水栓用開口部１８を密閉断熱する断熱部材上２６、下２７とを設ける。棚１１の先端に上下方向回動可能に設けられた回動板２１を設け、回動板２１に前記断熱部材下２６を固定するとともに、断熱部材上２７は回動板２１または断熱部材下２６に着脱可能に設ける。【選択図】        図６
2004352301.tif 000002
【特許請求の範囲】
【請求項１】
前面に開口部を有する冷却庫本体と、この冷却庫本体内を冷却する冷却装置と、前記冷却庫本体内に収納される給水栓を有するバッグインボックスと、このバッグインボックスを載置する棚と、前記冷却庫本体の開口部を密閉する扉と、この扉に設けられ前記バッグインボックスの給水栓を扉から露出させる給水栓用開口部と、前記給水栓を上下方向から挟み込むように分割して設けられ前記給水栓用開口部を密閉断熱する断熱部材上、下とを備えたものにおいて、前記棚の先端に上下方向回動可能に設けられた回動板を設け、この回動板に前記断熱部材下を固定するとともに、前記断熱部材上は前記回動板または前記断熱部材下に着脱可能に設けられたことを特徴とするウォーターサーバーのバッグインボックス収納装置。
【発明の詳細な説明】
【０００１】
【発明が属する技術分野】
本発明は、天然水等を封入したバッグインボックスを使用したウォーターサーバーのバッグインボックス収納装置に関する。
【０００２】
【従来の技術】
近年、水道水を飲料水として使用する場合、水道水の殺菌処理に用いられる塩素等により水道水が美味しくないと感じ、安全で美味しいとされる天然水等をダンボール箱内の可撓性の容器に詰めた所謂バッグインボックスが販売され、これを飲料水に使用する使用者が増えてきている。
【０００３】
これに伴ない、バッグインボックス内の天然水を更に冷却水および温水として利用できる機器が開発され使用されている。一般的には冷凍サイクル等で冷却される上方開放型の冷水タンクを用いたものが主流であるが、冷水タンクが上方開放型であるため天然水が空気に触れ雑菌が繁殖する恐れがあり、衛生上問題がある。
【０００４】
そこで、このような衛生上の問題を解消するため、バッグインボックスに給水栓を装着して殺菌処理を施し出荷されたバッグインボックスを、冷却庫本体内に収納しバッグインボックスごと冷却し給水栓から直に天然水等を注水して利用する機器も開発されている。
【０００５】
即ち、このような機器は例えば図９乃至図１０に示されるように、前面に開口部１を有する冷却庫本体２の上方に設けられた棚３に給水栓４を有したバッグインボックス５が収納され図示しない冷却装置により冷却庫本体２内が冷却され、冷却庫本体２内のバッグインボックス５が冷却されるようになっている。
【０００６】
そして、このバッグインボックス５を交換するなど冷却庫本体２内の棚３に収納セットする際は、棚３の前方に取り付けられた断熱部材下８がバッグインボックス５の先端部の位置決めを行うとともに断熱部材下８の下半分に設けられた切欠部が給水栓４の外周の下側半分に嵌合挿入し、更に、断熱部材下８に着脱可能に取り付けられた断熱部材上９が断熱部材上９の上半部に設けられた切欠部が給水栓４の外周の上側半分に嵌合挿入され給水栓４の外周が断熱部材下８および断熱部材上９とにより断熱密閉される。
【０００７】
そして、冷却庫本体２の前面開口部１が扉６により閉じられることにより給水栓４が扉６に設けられた給水栓用開口部７から露出されるようになっている。また、給水栓用開口部７は扉６を閉じることにより扉６の裏面に設けられた額縁状の断熱材１０と断熱部材下８および断熱部材上９との間により隙間が断熱密閉される。
【０００８】
【発明が解決しようとする課題】
しかし、このようなウォーターサーバーのバッグインボックスを交換するに際しては、バッグインボックスを棚と一緒に冷却庫本体から取り外して行うため、交換作業が煩雑であったり、棚を落下させ足の上に落としたり、棚を破損させる恐れがあった。
【０００９】
本発明は、このような点に着目してなされたもので、ウォーターサーバーのバッグインボックスを交換する際、バッグインボックスのみ単体で棚から取り出すことができ交換作業が容易になるとともに、棚を落下させるようなことがなく安全なウォーターサーバーのバッグインボックス収納装置を提供することを目的とする。
【００１０】
【課題を解決するための手段】
請求項１記載のウォーターサーバーのバッグインボックス収納装置は、前面に開口部を有する冷却庫本体と、この冷却庫本体内を冷却する冷却装置と、前記冷却庫本体内に収納される給水栓を有するバッグインボックスと、このバッグインボックスを載置する棚と、前記冷却庫本体の開口部を密閉する扉と、この扉に設けられ前記バッグインボックスの給水栓を扉から露出させる給水栓用開口部と、前記給水栓を上下方向から挟み込むように分割して設けられ前記給水栓用開口部を密閉断熱する断熱部材上、下とを備えたものにおいて、前記棚の先端に上下方向回動可能に設けられた回動板を設け、この回動板に前記断熱部材下を固定するとともに、前記断熱部材上は前記回動板または前記断熱部材下に着脱可能に設けられたものである。
【００１１】
そして、この構成により、バッグインボックスを交換する際、回動板を回転させてバッグインボックスを冷却庫本体から取り出す際の受台として機能させられるため、バッグインボックス単体のみを引き出せば足り、バッグインボックスの交換作業が容易になるとともに、棚を落下させるようなことがなく安全である。
【００１２】
【発明の実施の形態】
以下、本発明の一実施の形態を図面を参照して説明する。
【００１３】
【実施例】
図１乃至図５において、１１は冷却庫本体で、この冷却庫本体１１は前面を開放した開口部１２を有した縦長箱状に形成され、内部には板状の棚１３が上下に亘って複数段架設されている。そして、この複数段の棚１３にはそれぞれ天然水等を詰め込んだ給水栓１４を有するバッグインボックス１５が載置されるようになっている。また、冷却庫本体１１の下方には図示しない冷却器へ冷媒を循環させるための冷却装置１６が設けられ冷却庫本体１１内を冷却するようになっている。
【００１４】
また、冷却庫本体１１には、冷却庫本体１１の開口部１２を開閉可能にする扉１７が設けられ、この扉１７を開放することにより開口部１２を開放できるようになっている。また、この扉１７の上方には給水栓１４露出用の給水栓用開口部１８が設けられ、棚１３の最上段に載置されたバッグインボックス１５の給水栓１４が給水栓用開口部１８から扉１７の外側に露出されるようになっている。また、扉１７の裏面には給水栓用開口部１８の周囲に額縁状の断熱材１９が設けられている。更に、扉１７の給水栓用開口部１８の下方には冷却されたバッグインボックス１５の冷却水を受けるカップ置台２０が設けられている。
【００１５】
２１は金属製の回動板で、この回動板２１は中央部に比較的大き目な楕円状の貫通孔２２と軸受部２３とガイド部２４とを有して構成されている。そして、この回転板２１は最上段に設けられた棚１３の先端部分に設けられた回転軸２５に上下方向に回転可能に軸支され、棚１３と同一水平位置およびバッグインボックス１５の前面位置を決める垂直位置の範囲で回動するようになっている。
【００１６】
また、回動板２１には、下側に上部中央部を半円状に切り欠いた断熱部材下２６が固定されるとともに、上側には下側を半円状に切り欠いた断熱部材上２７がガイド部２４にスライド自在に取り付けられている。
【００１７】
次に、本実施の形態の作用を説明する。
【００１８】
先ず、初回における冷却庫本体１１内へのバッグインボックス１５の収納方法について説明する。
【００１９】
扉１７を開放して冷却庫本体１内の最上段の棚１３に取り付けられた回動板２１を図６に示されるように下方に回動し、回動板２１の軸受部２３より下方部分が棚１３の裏面に当接して棚１３と同一水平位置にセットする。そして、この状態で回動板２１の上面にバッグインボックス１５を一旦載置し、バッグインボックス１５を回動板２１の上面を滑らせて冷却庫本体１１内に押し込んで棚１３に載置する。
【００２０】
次に、この押し込まれたバッグインボックス１５のダンボール箱の給水栓１４部分を破り給水栓１４をダンボール箱の外側に引き出す。そして、断熱部材上２７を回動板２１のガイド部２４に沿ってスライドさせ上方に一時待避させる。そして、回動板２１を上方に回動させながら給水栓１４を回動板２１の貫通孔２２に貫通させ垂直状態に起立させてバッグインボックス  １５の前面の位置決めを行うとともに、断熱部材上２７が元の位置に復帰し給水栓１４の外周の隙間を断熱部材下２６の切欠部と断熱部材上７の切欠部とにより挟み込むようにして密閉断熱する。
【００２１】
一方、予備の複数のバッグインボックス１５は給水栓１４がダンボール箱内に収納されたままの状態で夫々冷却庫本体１内の下方の棚１３に夫々収納載置する。そして、扉１７を閉じることにより給水栓１４が扉１７の給水栓用開口部１８から扉１７の外側に露出されるとともに、給水栓用開口部１８の隙間は断熱部材下２６および断熱部材上２７と扉１７裏面の断熱材１９との間で断熱密閉される。
【００２２】
次に、冷却装置１６が駆動され図示しない冷却器を介して冷却庫本体１１内全体が冷却され、これに伴なってバッグインボックス１５内の天然水が冷却される。そして、バッグインボックス１５内の天然水が適温に冷却されたら最上段のバッグインボックス１５の給水栓１４を開放して置台２０にセットされたカップ内に注水して飲料用冷却水として使用する。
【００２３】
次に、バッグインボックス１５内の天然水の使用が終了し予備のバッグインボックス１５と交換する場合の作用について説明する。
【００２４】
扉１７を開き、断熱部材上２７を回動板２１のガイド部２４をスライドさせながら上方に待避させる。そして、この状態で回動板２１を図６に示されるように下方に回動させ給水栓１４を回動板２１の貫通孔２２に貫通させながら回動板２１を棚１３と同一水平位置にセットする。そして、使用が終了した上段のバッグインボックス１５のみを回動板２１を受台として機能させなが取り出し廃棄する。
したがって、バッグインボックス１５単体で冷却庫本体１１内から取り出すことができるため、棚１３を落下させることがない。
【００２５】
次に、冷却庫本体１１内下方の棚１３に載置された予備の冷却されたバッグインボックス１５を冷却庫本体１１内から取り出しバッグインボックス１５の初回収納方法と同様な方法によりバッグインボックス１５を最上段の棚１３に収納載置して使用する。
【００２６】
次に、断熱部材上２７の取付構造の他の実施例について説明する。
【００２７】
図８に示されるように、断熱部材下２６は３枚の断熱部材を重ね合わせ、中間部に位置される断熱部材を短寸にして溝２８を形成する。また、断熱部材上２７は３枚の断熱部材を重ね合わせ、中間部に位置される断熱部材を突出させて突出部２９を形成し、断熱部材下２６の溝２８に断熱部材上２７の突出部２９を嵌合スライドさせることにより行う。これにより、回動板２１にガイド部２４を設けたものと同様な作用が得られる。
【００２８】
【発明の効果】
請求項１記載のウォーターサーバーのバッグインボックス収納装置によれば、バッグインボックス交換時、回動板を回転させてバッグインボックスを冷却庫本体から取り出す際の受台として機能させられるため、バッグインボックス単体のみを引き出せば足り、バッグインボックスの交換作業が容易になるとともに、棚を落下させるようなことがなく安全である。
【図面の簡単な説明】
【図１】本発明の一実施の形態を示すウォーターサーバーのバッグインボックス収納装置の側面図である。
【図２】同上、ウォーターサーバーのバッグインボックス収納装置の正面図である。
【図３】同上、ウォーターサーバーのバッグインボックス収納装置の部分拡大側面図である。
【図４】同上、ウォーターサーバーのバッグインボックス収納装置の部分拡大正面図である。
【図５】同上、ウォーターサーバーのバッグインボックス収納装置の回動板の外観斜図である。
【図６】同上、ウォーターサーバーのバッグインボックス収納装置の作用を説明する側面図である。
【図７】同上、ウォーターサーバーのバッグインボックス収納装置の作用を説明する正面図である。
【図８】同上、ウォーターサーバーのバッグインボックス収納装置の断熱部材の他の実施例の側面断面図である。
【図９】従来技術によるウォーターサーバーのバッグインボックス収納装置の正面図である。
【図１０】従来技術によるウォーターサーバーのバッグインボックス収納装置の側面図である。
【符号の説明】
１１    冷却庫本体
１２    開口部
１３    棚
１４    給水栓
１５    バッグインボックス
１６    冷却装置
１７    扉
１８    給水栓用開口部
１９    断熱材
２０    置台
２１    回動板
２２    貫通孔
２３    軸受部
２４    ガイド部
２５    回転軸
２６    断熱部材下
２７    断熱部材上
２８    溝
２９    突出部
【図１】
2004352301.tif 000003
【図２】
2004352301.tif 000004
【図３】
2004352301.tif 000005
【図４】
2004352301.tif 000006
【図５】
2004352301.tif 000007
【図６】
2004352301.tif 000008
【図７】
2004352301.tif 000009
【図８】
2004352301.tif 000010
【図９】
2004352301.tif 000011
【図１０】
2004352301.tif 000012
【手続補正書】
【提出日】平成15年7月25日(2003.7.25)
【手続補正１】
【補正対象書類名】図面
【補正対象項目名】図１０
【補正方法】変更
【補正の内容】
【図１０】
2004352301.tif 000013